(57)【特許請求の範囲】
【請求項１】
多数のフレームとベースプレートで構成し、上下部には各々上側及び下側マウンティングユニットを備えて、車輪がサスペンションを介して装着されるような車体機能をもつ車体ユニットと；前記車輪の機能をもつホイール部材と、サスペンションを介してこれを車体ユニットに連結する各連結ユニットを含むホイールユニットと；前記車体ユニットの一側に備えられ、前記ホイールユニットを連結する連結ユニットの一側と連結されてラックピニオン操作を通じてかじ取り機能を遂行するかじ取りユニットと；前記ホイールユニットと車体ユニットとの間にあってショックアブソーバと懸架スプリングとを含み、前記ホイールユニットを連結する連結ユニットの一側と車体ユニットの上側マウンティングユニットとの間に連結され、取り付け位置及び長さ変更が可能なストラットユニットと；前記ホイールユニットと車体ユニットとの間にあって複数のアームとリンクとを含み、前記ホイールユニットを連結する連結ユニットの他側と前記車体ユニットの下側マウンティングユニットとの間に連結され、取り付け位置及び長さの変更が可能なアームユニットと；を含み、
前記車体ユニットは、底面を左右対称で各々水平に配置し、連結フレームで各中央部を連結した左、右側支えフレームと；前記左、右側支えフレーム上に各々垂直方向に立てて固定した複数の固定フレームと；前後両端を下向きに折曲したフランジ部を有し、この前、後側フランジ部を前記固定フレームと固定し、この前、後側フランジ部の左、右側に前記下側マウンティングユニットを前後にガイドするスロットを設け、左、右側の上端面に前記上側マウンティングユニットを上下にガイドするガイドハウジングを各々垂直に取り付けたベースプレートと；からなることを特徴とする車両用懸架装置のジオメトリー特性学習装置。
【請求項２】
前記上側マウンティングユニットは、前記車体ユニットの上部に配置されるマウンティングプレートと；前記車体ユニットのベースプレート上の左、右側に装備されたガイドハウジングに各々挿入され、それぞれの上端が前記マウンティングプレートの下面の左、右側に各々固定されるスライドバーと；前記それぞれのガイドハウジングの一側面にボルトホールを介して締結されて前記スライドバーを上下方向に固定させる固定ボルトと；前記マウンティングプレート上端面にあって左、右側に前記ストラットユニットの上端を連結する連結スロットを備え、締結スロットと二つのガイドスロットとを介して左右方向に取り付け位置の変更及び固定が可能であるマウンティングスライダーと；からなることを特徴とする請求項１に記載の車両用懸架装置のジオメトリー特性学習装置。
【請求項３】
前記下側マウンティングユニットは、両端部に長さ方向の連結スロットを形成し、前記ベースプレートの前、後側フランジ部に設けられたスロットに挿入されて前後方向にガイドされ、中央部には前記ボルトホールを設けて、固定ボルトを上向き締結して前記ベースプレートの下部面と接触するようにすることにより固定されるアーム連結プレートからなることを特徴とする請求項１に記載の車両用懸架装置のジオメトリー特性学習装置。
【請求項４】
前記ホイールユニットのホイール部材は、透明なプラスチック製円形プレートであることを特徴とする請求項１に記載の車両用懸架装置のジオメトリー特性学習装置。
【請求項５】
前記ホイールユニットの連結ユニットは、前記ホイール部材の中心下部に多数のボルトで締結され、前記アームユニットと連結されるスロットプレートが一体に形成される連結ブラケットと；前記ホイール部材の中心上部に多数のボルトで締結され、前記ストラットユニットの下部と連結されるナックルブラケットと；前記ナックルブラケットの後方一側に固定され、前記かじ取りユニットと連結されるスロットを有するナックルプレートと；からなることを特徴とする請求項１に記載の車両用懸架装置のジオメトリー特性学習装置。
【請求項６】
前記かじ取りユニットは、前記ベースプレートの上部で左右方向に配置されてガイダーによって左右方向にガイドされ、中央部にはラック部が形成され、両端部には伸縮ユニットを構成するラックバーと；前記ラックバーのラック部に噛み合うピニオンと；前記ピニオンの中央部を貫通して連結され、一端が支持ブラケットを介して回転出来るように支持され、他端には回転取っ手が備えられる回転バーと；前記ラックバーの両端に各々ユニバーサルジョイントを介して一端が連結され、各他端はボールジョイントを介して前記ホイールユニットの連結ユニットに連結されるナックルアームと；からなることを特徴とする請求項１に記載の車両用懸架装置のジオメトリー特性学習装置。
【請求項７】
前記ラックバーの伸縮ユニットは、ラックバー両端部で大直径スロットを有する中空管と；先端にボルトホールを設け、前記中空管にスライド可能に嵌め込まれ、前記スロット部でボルトホールの固定ボルトにより中空管に締結される連結棒と；からなることを特徴とする請求項６に記載の車両用懸架装置のジオメトリー特性学習装置。
【請求項８】
前記ストラットユニットは、上端にスプリング下部座金が一体に形成される中空管からなるハウジングと、前記中空管に上部から挿入されると共に上部一側にスプリング上部座金を一体に形成したピストンロッドとで構成されるショックアブソーバと；プラスチック製懸架スプリングと；を含んでなることを特徴とする請求項１に記載の車両用懸架装置のジオメトリー特性学習装置。
【請求項９】
前記アームユニットは、前記ホイールユニットの連結ユニットにボールジョイントを介して連結され、多数のスロットが設けられたＡ字型アームリンクと；一端側が前、後方向で前記Ａ字型アームリンクのスロットを介してボールジョイントに連結され、他端が前記下側マウンティングユニットの一側とボールジョイントで連結され、自体の長さを変更できる複数の長さ可変アームと；を含んでなることを特徴とする請求項１に記載の車両用懸架装置のジオメトリー特性学習装置。
【請求項１０】
前記長さ可変アームは、各アーム部材が中空管からなり、この中空管の両端には各々互いに反対方向のネジ山を有するナットが取り付けられ、前記それぞれのボールジョイントの先端に前記ナットと締結されるボルトが一体形成されていて、前記中空管の回転方向に応じて両端のボルトが近接したり、離れたりするように構成されていることを特徴とする請求項９に記載の車両用懸架装置のジオメトリー特性学習装置。
【発明の詳細な説明】
【０００１】
【発明の属する技術分野】
本発明は車両用懸架装置のジオメトリー特性学習装置に係り、より詳しくは、車両用独立懸架装置におけるホイールの運動特性の変化を目で直接観察できるようにするための車両用懸架装置のジオメトリー特性学習装置に関するものである。
すなわち、ホイールの運動特性であるキャンバー（Ｃａｍｂｅｒ）、トー（Ｔｏｅ）、キャスター（Ｃａｓｔｅｒ）に対するかじ取り装置及び懸架装置を構成する各リンクの装着位置や長さなどの影響について理解を深めるためのもので、リンクの装着位置や長さなどを自由に調節しながらホイールの運動特性変化を直接観察するものである。
【０００２】
【従来の技術】
車両の懸架装置（サスペンションシステム）は車体とホイールの間にあって、これらを一つあるいは複数のリンクで連結し、走行中の路面からの衝撃や振動を緩和して、乗り心地と走行安定性を向上させる装置である。スプリング、ショックアブソーバ（Ｓｈｏｃｋ  Ａｂｓｏｒｂｅｒ）、各種アーム（Ａｒｍ）類、ロッド（Ｒｏｄ）などの部材から構成され、車体とホイールの間の相対運動を機械的に調和させることで剛性と柔軟性をもたせるようになっている。
【０００３】
このような車両用懸架装置は、
第１に、車両走行中に路面から発生する振動を効果的に遮断して搭乗者に快適な乗り心地を与え、
第２に、運転者の運転行為及び路面の屈曲によって発生する車体の揺動を適切に制御し、
第３に、不規則な路面を走行する時にタイヤ接地面での垂直荷重を適切な水準に維持して、旋回、制動、駆動時の車両の安定性を確保する
などの基本条件を満たすことにより、操縦の安定性、およびハンドリング特性を生かした快適な乗り心地を確保する必要がある。
【０００４】
上記の操縦安定性と快適な乗り心地は、車両の重量、その重量の配分、自動車の速度、道路の状態及びタイヤ、ホイールアラインメントを含んだ懸架構成要素の状態によって大きな影響を受ける。懸架装置のデザインは、かじ取り装置と共に、自動車の設計上、その自動車の直進安定性、旋回能力、トラッキング及びコーナリングを基本要素とするハンドリングにも影響を与える。
【０００５】
懸架装置は、その究極の目的である操縦の安定性および快適な乗り心地を確保するために数多くの種類が開発、実用化されている。これらはこれまで一貫した発展をしてきたが、特に最近は高性能エンジンの登場とともに、走行の面白さに対する関心が急激に増加したことにより、運転者の意志がそのまま表現できる高性能サスペンションシステムの開発が要求されている。
【０００６】
これまでに開発済みの独立懸架式サスペンションシステムには、以下のものがある。構造が簡単かつ軽量で、ホイール位置を決定する支柱（Ｓｔｒｕｔ）としてショックアブソーバを用いるマックファーソンタイプ（Ｍａｃｐｈｅｒｓｏｎｔｙｐｅ）、原価は多少高いがＡ字型アーム（ａｒｍ）を上下に適用して比較的高性能が要求される車両に使用されるダブルウィッシュボーンタイプ（Ｄｏｕｂｌｅ  Ｗｉｓｈｂｏｎｅ  ｔｙｐｅ）、外形上はダブルウィッシュボーンタイプと類似しており、多数のリンクが使用されるマルチリンクタイプ（Ｍｕｌｔｉ−Ｌｉｎｋ  ｔｙｐｅ）などである。
【０００７】
一方、前記の独立懸架方式サスペンションシステムは、その機構学的構成が複雑で、ホイールの運動特性、つまりキャンバー（Ｃａｍｂｅｒ）、トー（Ｔｏｅ）、キャスター（Ｃａｓｔｅｒ）などが、かじ取り（ｓｔｅｅｒｉｎｇ）やバウンシング（Ｂｏｕｎｃｉｎｇ）からどのような影響を受けるかについて理解が困難であった。従来は一部の自動車メーカーでホイールの一部運動特性の変化を目で直接観察するため、図７に示したようにホイール６０３の縦断面の中心線とキングピン軸６０５（ショックアブソーバ）の角度が固定されたユニット学習装置６０１を製作して、かじ取り時にキャンバー変化など部分的な特性を確認するに止まっていた。
【０００８】
複雑な機構の独立懸架方式サスペンションシステムは、その機構学的運動特性が、操縦安定性、良好なハンドリング、快適な乗り心地の確保という懸架装置の究極の目的を達成するために、具体的でありながら簡単に、理解しやすいように再現されなければならず、このために立体的なユニットの開発が要求される。しかしながら、ダブルウィッシュボーンタイプ、マクファーソンタイプ、マルチリンクタイプなど代表的な独立懸架装置についてかじ取り及びバウンシング時の全てのジオメトリー特性を具現できる学習装置を含め、複雑な独立懸架装置の機構学的運動特性をすべて再現できる試験または学習装置の開発は未だないのが実情である。
【０００９】
【発明が解決しようとする課題】
本発明は前記の要求を満足するために、多様な独立懸架装置の基本骨格を用いて、実際と同じ機構学的構成を有するサスペンションシステムの再現を狙ったものである。すなわち、かじ取り装置及び懸架装置を構成する各リンクの装着位置や長さなどを自由に調節しながら、キャンバー、トー、キャスターなどのホイールの運動特性変化を目で直接観察できるようにするための車両用懸架装置のジオメトリー特性学習装置を提供することである。
【００１０】
本発明の他の目的は、かじ取り及びバウンシング時のホイールの運動特性をマクファーソンタイプ、ダブルウィッシュボーンタイプ、マルチリンクタイプなどの多数の独立懸架装置について、簡単な構成で、精巧に再現できるようにする車両用懸架装置のジオメトリー特性学習装置を提供することである。
【００１１】
【課題を解決するための手段】
前記のような目的を実現するために本発明は、多数のフレームとベースプレートで構成し、上下部には各々上側及び下側マウンティングユニットを備えて、車輪がサスペンションを介して装着されるような車体機能をもつ車体ユニットと；前記車輪の機能をもつホイール部材と、サスペンションを介してこれを車体ユニットに連結する各連結ユニットを含むホイールユニットと；前記車体ユニットの一側に備えられ、前記ホイールユニットを連結する連結ユニットの一側と連結されてラックピニオン操作を通じてかじ取り機能を遂行するかじ取りユニットと；前記ホイールユニットと車体ユニットとの間にあってショックアブソーバと懸架スプリングとを含み、前記ホイールユニットを連結する連結ユニットの一側と車体ユニットの上側マウンティングユニットとの間に連結され、取り付け位置及び長さ変更が可能なストラットユニットと；前記ホイールユニットと車体ユニットとの間にあって複数のアームとリンクとを含み、前記ホイールユニットを連結する連結ユニットの他側と前記車体ユニットの下側マウンティングユニットとの間に連結され、取り付け位置及び長さの変更が可能なアームユニットと；を含み、
前記車体ユニットは、底面を左右対称で各々水平に配置し、連結フレームで各中央部を連結した左、右側支えフレームと；前記左、右側支えフレーム上に各々垂直方向に立てて固定した複数の固定フレームと；前後両端を下向きに折曲したフランジ部を有し、この前、後側フランジ部を前記固定フレームと固定し、この前、後側フランジ部の左、右側に前記下側マウンティングユニットを前後にガイドするスロットを設け、左、右側の上端面に前記上側マウンティングユニットを上下にガイドするガイドハウジングを各々垂直に取り付けたベースプレートと；からなることを特徴とする。
【００１２】
【発明の実施の形態】
以下、本発明の実施例を図面に基づいて詳細に説明する。
本発明は代表的な独立懸架装置であるマクファーソンタイプ懸架装置について、全ジオメトリー特性を再現するため、実際と同じ機構学的構成を有するサスペンションシステムのモデルに着眼したものである。
【００１３】
図１は、本発明による車両用懸架装置のジオメトリー特性学習装置の分解斜視図である。本発明は車両の前輪または後輪のサスペンションが装着される車体ユニット１００と、前記車両の前輪または後輪の機能をもつホイールユニット２００と、前記車体ユニット１００上で前記ホイールユニット２００の一側に連結されてかじ取り機能をもつかじ取りユニット３００と、ショックアブソーバ４０１と懸架スプリング４０３とで構成されるストラットユニット４００と、複数のアームとリンクとで構成されるアームユニット５００とからなり、マクファーソンタイプの車両用懸架装置のジオメトリー特性学習装置を構成する。
【００１４】
前記車体ユニット１００は車体の機能をもつ部分で、多数のフレーム１０１、１０３、１０５、１０７とベースプレート１０９からなっている。上部に左右のマウンティングユニット１２０、１３１を備え、サスペンションを介して車輪を取り付けるようになっている。
車体ユニット１００の底部は支えフレーム１０１、１０３が平行に配置され、連結フレーム１０５によってその中央部が連結されている。
前記左、右側の支えフレーム上には、二つずつの固定フレーム１０７が各々垂直に固定される。
【００１５】
前記ベースプレート１０９はその前後方向での両端下部が下向きに折曲したフランジ１１１、１１３を形成しており、これが固定フレーム１０７と各々固定される。下向フランジ１１１、１１３の左、右側には前記下側マウンティングユニット１４０を前後にガイドするスロット１１５が各々設けられる。
また、前記ベースプレート１０９の左、右側上端面には、各々、前記上側マウンティングユニット１２０を上下にガイドする中空のガイドハウジング１１７が垂直に立てられる。
ここで、左右のガイドハウジング１１７には各々スライドバー１２３が上下移動できるように挿入され、そのスライドバー１２３の上部はマウンティングプレート１２１に固定される。
【００１６】
前記左右のガイドハウジング１１７の一側面にはボルトホール１２７を設け、固定ボルト１２５で前記スライドバー１２３を固定できるようにする。
そして、前記マウンティングプレート１２１の左、右側端には、連結スロット１２９を備えたマウンティングスライダー１３１が配置され、ショックアブソーバ４０１の上端をボールジョイント４０５で連結する。このマウンティングスライダー１３１には締結スロット１３３と二つのガイドスロット１３５とを設け、マウンティングプレート１２１上に備えられた固定ボルト１３７と二つのガイド棒１３９とによって、左右方向の調整および固定ができるようにする。
【００１７】
前記下側マウンティングユニット１４０では、アーム連結プレート１４３がベースプレート１０９の左右に位置してフランジ部１１１，１１３に設けられたスロット１１５に挿入されて、前後方向に移動できるようになっている。アーム連結プレート１４３の両端には連結スロット１４１が設けてある。
【００１８】
また、前記アーム連結プレート１４３は、図２に示したように中央部にネジ切りされたボルトホール１４５が設けられ、これに固定ボルト１４７が上向きに締結されている。連結プレート１４３は固定ボルト１４７の締め込み程度によってベースプレート１０９の下面に接触または非接触となり、アーム連結プレート１４３がベースプレート１０９に対して固定又は移動可能になる。
【００１９】
図１、図６に示すホイールユニット２００は、ホイール部材２０１と、このホイール部材２０１をサスペンションを介して車体ユニット１００に装着する連結ユニット２０３とからなり、ホイール部材２０１は円形プレートを透明なプラスチック素材で製作してあり、どの角度からもサスペンションの運動特性が容易に観察できるようにすることが好ましい。
【００２０】
前記連結ユニット２０３では、ホイール部材２０１の中心下部に多数のボルトで連結ブラケット２０５が固定されるが、この連結ブラケット２０５とスロットプレート２０９は一体成形される。スロットプレート２０９にはアームユニット５００と連結されるスロット２０７が設けられる。
また、ホイール部材２０１の中心上部には多数のボルトでナックルブラケット２１１が固定され、ナックルブラケット２１１は前記ストラットユニット４００のショックアブソーバ４０１下部と連結される。
また、前記ナックルブラケット２１１はその後方の一側が、ナックルプレート２１５と固定される。ナックルプレート２１５には前記かじ取りユニット３００と連結するスロット２１３が設けてある。
【００２１】
次に、前記かじ取りユニット３００はベースプレート１０９の後部に取付けられたかじ取り基台に取付けられ、前記ナックルプレート２１５の一側に連結されてラックピニオン操作によりかじ取り機能を遂行する。前記かじ取り基台の上部には、左右方向にラックバー３０１が配置され、ガイダー３０２によって左右方向にガイドされる。このラックバー３０１の中央部にはラック部３０３が設けられ、両端部には伸縮ユニット３０５が設けられる。
【００２２】
前記ラックバー３０１のラック部３０３にはピニオン３０７が噛み合う。このピニオン３０７にはその中央部を貫通して回転軸３０９が連結され、この回転軸３０９の一端は前記かじ取り基台上の支持ブラケット３１１により回転可能に支持され、他端には回転取っ手３１３が取り付けられる。
【００２３】
また、前記ラックバー３０１の両端には各々ユニバーサルジョイント３１５を介してナックルアーム３１７の一端が連結され、このナックルアーム３１７の各々他端はボールジョイント３１９を介して前記ホイールユニット２００のナックルプレート２１５に連結される。
【００２４】
前記ラックバー３０１の伸縮ユニット３０５を図３に示す。伸縮ユニット３０５は、中空管３２３、連結棒３２９、固定ボルト３２７からなる。中空管３２３には大直径のスロット３２１が設けられている。連結棒３２９は中空管３２３内部でスライド可能となっており、その先端部にボルトホール３２５および固定ボルト３２７が設けてあり、これらにより中空管３２３と固定される。
【００２５】
前記ストラットユニット４００は、前記ホイールユニット２００と車体ユニット１００との間にあり、ショックアブソーバ４０１と懸架スプリング４０３とを含んでいて、ホイールユニット２００のナックルブラケット２１１の一側と車体ユニット１００のマウンティングスライダー１３１との間に取り付けられ、取り付け位置と長さの変更が可能である。
ショックアブソーバ４０１は中空管からなり、ハウジング４０９、スプリング上部座金４１１、ピストンロッド４１３からなっている。ハウジング４０９はスプリング下部座金４０７と一体形成され、上部の一側にスプリング上部座金４１１を一体形成しピストンロッド４１３が中空管の上部から挿入される。
前記懸架スプリング４０３はプラスチック素材でできており、自力で復元できる程度の弾性を有するのが好ましい。
【００２６】
前記アームユニット５００は複数のアームとリンクからなり、前記ホイールユニット２００のスロットプレート２０９と、前記車体ユニット１００のアーム連結プレート１４３との間に設置され、取り付け位置と長さの変更が可能である。Ａ字型アームリンク５０３には多数のスロットが設けられ、スロットプレート２０９にボールジョイント５０１を介して連結される。
【００２７】
アーム５０５、５０７はそれ自体の長さが可変で、一端がＡ字型アームリンク５０３の前後方向のスロットにボールジョイント５０９、５１１を介して連結され、他端が  前記アーム連結プレート１４３の前後側でボールジョイント５１３、５１５を介して連結スロット１４１に連結される。
【００２８】
前記長さ可変アーム５０５、５０７はアーム自体が長さ変化できる構造になっている。即ち、図４に示すように各アーム部材５０５、５０７は中空管からなり、この中空管の両端には互いに反対方向のネジ山を有するナット５１７、５１９が取り付けられる。一方、前記ボールジョイント５０９、５１３の先端には前記ナット５１７、５１９とかみ合うボルト５２１、５２３が一体形成され、前記中空管の回転方向に応じて両端のナット５１７、５１９とボルト５２１、５２３とが近接したり、離れたりすることで、自体の長さが変るようになっている。
【００２９】
前記ボールジョイント５０９、５１１、５１３、５１５とＡ字型アームリンク５０３またはアーム連結プレート１４３などを、スロットを介して連結する場合は、図５に示すように多数のワッシャー５３０を介在させて上下方向の位置を設定した後、上部をナット５３１で締結する。
【００３０】
このような車両用懸架装置のジオメトリー特性学習装置では、別タイプのサスペンションも適用可能とするため、下側マウンティングユニット１４０のアーム連結プレート１４５を変更して対応するようになっている。即ち、ガイドハウジング１１７の内側に前後方向のスロットを有する連結ブロック１４７を取り付けて、他のアーム連結プレート１４５をスライド可能とし、これに長さ可変アーム５０５、５０７を連結できるようにしている。
【００３１】
本発明の車両用懸架装置のジオメトリー特性学習装置は、図６に示したようにそれぞれの部分が組立てられ、その状態でかじ取り及びバウンシング時の運動特性を多様に再現するために、ホイールアラインメント（キャンバー、トー、キャスター及びキングピン傾斜角）の設定を広範囲に変更し、その状態を観察するものである。この際、キャンバーの調整は前記長さ可変アーム５０５、５０７を時計または時計反対方向に回転させることによって行い、ホイール部材２０１のキャンバー角を正（＋）または負（−）に調整することができる。
【００３２】
キャンバーは、長さ可変アーム５０５、５０７のボールジョイント５１３、５１５を、アーム連結プレート１４３の連結スロット１４１上で移動するによっても変えることができる。
【００３３】
前記キングピン傾斜角調整ユニットとしては各種の方法があるが、代表的なものとしては、前記マウンティングプレート１２１の上面左右側のマウンティングスライダー１３１の位置を変更する方法がある。
【００３４】
トーの調整は、前記長さ可変アーム５０５、５０７を、回転することで可能であり、ホイール部材２０１をトーインまたはトーアウトに調整することができる。この時、トーをトーインまたはトーアウトに調整するためには、前記長さ可変アーム５０５、５０７の回転方向は互に反対でなければならない。
【００３５】
トーの調整は前記キャンバーの調整のように、長さ可変アーム５０５、５０７それぞれのボールジョイント５１３、５１５を、各アーム連結プレート１４３の連結スロット１４１上で個別に移動することによっても可能である。
【００３６】
キャスターの調整には、代表的なものとして、ショックアブソーバ４０１上端のボールジョイント４０５が連結されるマウンティングスライダー１３１上の連結スロット１２９で、取り付け位置を前後方向に移動させる方法がある。
【００３７】
前記マクファーソンタイプの実施例において、車両用懸架装置のジオメトリー特性学習装置が適当なホイールアラインメント値に調整された状態では、前記回転取っ手３１３を回したりホイール部材２０１を持ち上げることによってかじ取り及びバウンシング時のサスペンション運動特性が再現できる。
【００３８】
本発明による車両用懸架装置のジオメトリー特性学習装置は、複雑な機構学的構成を有する独立懸架方式サスペンションシステムの立体的なユニットであって、多様な独立懸架装置の全ての機構学的運動特性を実験室などで簡単に再現して直接目で観察しながら理解できる。従って、本発明は懸架装置の究極の目的である操縦安定性、ハンドリング性、乗り心地感の向上などを達成するための具体的な研究及び開発に大きく寄与するものである。
【００３９】
【発明の効果】
本発明の車両用懸架装置のジオメトリー特性学習装置は、懸架装置を構成する要素の条件を変更した場合のホイールの運動特性を再現すると共に、目で直接観察できるようにしたもので、複雑な機構を有する独立懸架方式サスペンションシステムの運動特性についての理解を助ける効果がある。
【００４０】
また、本発明はマクファーソンタイプを含む多数の独立懸架装置について、ホイールの運動特性を精巧に再現できるようにしたもので、それぞれの異なるモデルの製作にかかる費用を節減できる利点もある。
【図面の簡単な説明】
【図１】本発明による車両用懸架装置のジオメトリー特性学習装置の分解斜視図である。
【図２】図１のＡ−Ａ線の拡大断面図である。
【図３】図１のＢ部分の拡大断面図である。
【図４】図１のＣ部分の拡大断面図である。
【図５】図１のＤ部分の拡大組立て断面図である。
【図６】本発明による車両用懸架装置のジオメトリー特性学習装置の組立て斜視図である。
【図７】従来の学習装置の正面斜視図で、かじ取り時に、サスペンションのキャンバーの変化を観察するためのものである。
【符号の説明】
１００    車体ユニット
１０１    左側支えフレーム
１０３    右側支えフレーム
１０５    連結フレーム
１０７    固定フレーム
１０９    ベースプレート
１１１    前側折曲部
１１３    後側折曲部
１１５、２０７、２１３、３２１    スロット
１１７    ガイドハウジング
１２０    上側マウンティングユニット
１２１    マウンティングプレート
１２３    スライドバー
１２５、１３７、１４７、３２７    固定ボルト
１２７、１４５    ボルトホール
１２９、１４１    連結スロット
１３１    マウンティングスライダー
１３３    締結スロット
１３５    ガイドスロット
１３９    ガイド棒
１４０    下側マウンティングユニット
１４３、１４５    アーム連結プレート
２００    ホイールユニット
２０１    ホイール部材
２０３    連結ユニット
２０５    連結ブラケット
２０９    スロットプレート
２１１    ナックルブラケット
２１５    ナックルプレート
３００    かじ取りユニット
３０１    ラックバー
３０２    ガイダー
３０３    ラック部
３０５    伸縮ユニット
３０７    ピニオン
３０９    回転バー
３１１    支持ブラケット
３１３    回転取っ手
３１５    ユニバーサルジョイント
３１７    ナックルアーム
３１９、４０５、５０１、５０９、５１１、５１３、５１５    ボールジョイント
３２３    中空管
３２５    ボルトホール
３２９    連結棒
４００    ストラットユニット
４０１    ショックアブソーバ
４０３    懸架スプリング
４０７    スプリング下部座金
４０９    ハウジング
４１１    スプリング上部座金
４１３    ピストンロッド
５００    アームユニット
５０３    Ａ字型アームリンク
５０５、５０７    長さ可変アーム
５１７、５１９、５３１    ナット
５２１、５２３    ボルト
５３０    ワッシャー
【図１】
0003791598.tif 000002
【図２】
0003791598.tif 000003
【図３】
0003791598.tif 000004
【図４】
0003791598.tif 000005
【図５】
0003791598.tif 000006
【図６】
0003791598.tif 000007
【図７】
0003791598.tif 000008